(57)【要約】本発明による分離板が構成された空冷式ＬＥＤ灯は、ＬＥＤが装着されたＬＥＤ基板と、前記ＬＥＤ基板が装着されたケーシングを含む。ケーシングは空気が流入される流入口と、前記流入口から入った空気が排出される排出口を含み、前記流入口と排出口との間に配置されるように前記ケーシングの内部を区切る分離板と、前記分離板に形成された貫通口と、前記貫通口に契合するように前記分離板に付着されたファンを含めて構成される。よって、前記分離板の下部に充填された空気が分離板の上方に逆流して冷却効率を低下させる状況を防止することができる。よって、防熱ブロックを使用しなくても効率的にＬＥＤ基板とコンバーターを冷却させることができる効果がある。また、防熱ブロックを使用しないので重量を軽減させることができ、製造コストを減らすこともできる。【選択図】図４
2017518617.tif 000002
【特許請求の範囲】
【請求項１】
ＬＥＤが装着されたＬＥＤ基板１６０と、前記ＬＥＤ基板１６０が装着されたケーシング１０３を含むＬＥＤ灯において、
前記ケーシング１０３は空気が流入される流入口１４０、
前記流入口１４０から入った空気が排出される排出口１５０、
前記流入口１４０と排出口１５０との間に配置されるように前記ケーシング１０３の内部を区切る分離板１７０、
前記分離板１７０に形成された貫通口１７３、
前記貫通口１７３に契合するように前記分離板１７０に付着されたファン１８０、
前記ケーシング１０３は容器形状であってその下部に配置され、下面に前記ＬＥＤ基板１６０が付着される下部ケーシング１１０、及び、
前記下部ケーシング１１０の上部を覆うように形成された上部ケーシング１２０、とを備え、
前記上部ケーシング１２０と下部ケーシング１１０との間に介在され、上部に前記流入口１４０が形成され下部に前記排出口１５０が形成された周縁部１３０を含み、
前記分離板１７０は前記流入口１４０と排出口１５０との間に配置されるように前記下部ケーシング１１０及び上部ケーシング１２０のうちいずれかが選択的に支持されて構成されたことを特徴とする、
分離板が構成された空冷式ＬＥＤ灯。
【請求項２】
前記下部ケーシング１１０の内部底面１１３に形成されたリブ１１９を含めて構成されたことを特徴とする請求項１に記載の分離板が構成された空冷式ＬＥＤ灯。
【請求項３】
前記周縁部１３０は前記流入口１４０と排出口１５０が形成されるように、上下部に配置される多数のリング１３１と、前記リング１３１の間に介在されて離隔状態を維持する軸１３４を含めて構成されたことを特徴とする請求項１または請求項２に記載の分離板が構成された空冷式ＬＥＤ灯。
【請求項４】
前記リング１３１は板状の枠状であって、前記軸１３４の外側部分である外側周縁部１３３は下方に向かうように形成され、内側周縁部１３５は上方に向かうように形成されたことを特徴とする請求項３に記載の分離板が構成された空冷式ＬＥＤ灯。
【請求項５】
前記分離板１７０は前記流入口１４０と排出口１５０との間に配置されたリング１３１の内側周縁部１３５に密着されて構成されたことを特徴とする請求項４に記載の分離板が構成された空冷式ＬＥＤ灯。
【発明の詳細な説明】
【技術分野】
【０００１】
本発明は、分離板が構成された空冷式ＬＥＤ灯に関するものであって、更に詳細には吸入空気と排出空気とが混合され冷却効率が低下される状況を防止できることを特徴とする分離板が構成された空冷式ＬＥＤ灯に関するものである。
【背景技術】
【０００２】
以下、添付の図面と関連して背景技術によるＬＥＤ灯１の構成と作動例を検討する。
【０００３】
図１は背景技術によるＬＥＤ灯を示した断面図であって、共に説明する。
【０００４】
背景技術の構成を検討すると、ＬＥＤ基板１０が構成され、前記ＬＥＤ基板１０の上部に装着され防熱機能をする防熱ブロック２０が構成される。また、前記防熱ブロック２０の上部に装着され空気を流入させるファン３０が構成され、前記ファン３０を収用し、上方に空気が流入されるように形成された管形状の内部本体４０が構成される。また、前記構成をすべて収用するものとして下方に開放された外部本体５０が構成され、前記外部本体５０の開放された下部を仕上げる透明板６０が構成される。
【０００５】
前記外部本体５０は空気が吸入される流入口５１が構成され、内部空気が排出される排出口５３が構成される。前記流入口５１は外部本体５０の側方上部に配置され、排出口５３は外部本体の側方下部に位置される。
【０００６】
前記ＬＥＤ基板１０は外部本体５０の内部に支持されて構成される。
【０００７】
前記防熱ブロック２０は防熱ピン２３が上方に向かうように構成されたものであって、ファン３０が上部で吸入した空気が前記防熱ピン２３の間に給送された後、防熱ピン２３により側方に排出されるように形成される。
【０００８】
前記外部本体５０の内部にはコンバーター７０が構成され交流電源を直流に変換して前記ＬＥＤ基板１０に供給するように構成される。
【０００９】
前記背景技術によるＬＥＤ灯１の作動例を検討すると、前記ＬＥＤ基板１０とファン３０とに電気を印加してＬＥＤ基板１０に装着されたＬＥＤから光が照らすようにし、ファン３０が作動するようにする。そうすると、前記ファン３０の作動により流入口５１を介して吸入された空気は内部本体４０を介してファン３０を通し、防熱ブロック２０の防熱ピン２３の間に給送される。そして、防熱ピン２３の側方に排出され排出口５３を介して排出される。よって、ＬＥＤ基板１０の熱を吸収した防熱ブロック２０を冷却させ、ＬＥＤ基板１０の過熱を防止することができる。
【００１０】
また、前記外部本体５０に吸入された空気の一部は前記コンバーター７０の熱を吸収した後、ファン３０により防熱ピン２３の間に給送され防熱ブロック２０の熱を吸熱して排気される。
【００１１】
前記背景技術によると次のような問題点がある。
【００１２】
一つ、冷却効率が低いという問題点がある。即ち、ファン３０を介して防熱ピン２３の間に給送された空気は防熱ピン２３側方に排出された後、一部は排出口５３を介して排気され、一部は上方に上がって流入口５１を介して吸入された空気と混じり合うので、流入される空気の温度を上昇させ冷却効率が低下されるという問題点がある。また、排出口５３に排出された空気が再び流入口５１に流入されて冷却性能が更に低くなるという問題点がある。
このような状況は電気を印加する間ずっと繰り返されるのでファン３０が装着されているにもかかわらず、外部本体５０内部の温度は徐々に上昇してコンバーター７０だけではなくＬＥＤ基板１０の寿命を短縮させるという問題点がある。
【００１３】
二つ、前記防熱ブロック２０が構成されるので、ＬＥＤ灯１の全体重量を上昇させることになり、天井や街路灯の支柱のように高いところに装着することが容易ではなく、製造コストが高くなるという問題点がある。
【先行技術文献】
【特許文献】
【００１４】
【特許文献１】韓国特許登録１０−０９０７６１８号（２００９年０７月０６日）
【発明の概要】
【発明が解決しようとする課題】
【００１５】
本発明による分離板が構成された空冷式ＬＥＤ灯は次の事項を目的とする。
【００１６】
一つ、ファンにより流入される空気と熱交換されて排出される空気が混合される状況を防止して冷却効率を向上させる。即ち、ファンにより流入された空気は熱交換された後、直ちに外部に排気されるようにする。また、外部に排出された空気が再び流入口に流入されないように構成する。
【００１７】
二つ、冷却ブロックを構成しないことにより製造コストを減らすことができ、重量を軽減させることができるので、天井や街路灯の支柱に容易に装着することができるように構成する。
【課題を解決するための手段】
【００１８】
本発明による分離板が構成された空冷式ＬＥＤ灯は、ＬＥＤが装着されたＬＥＤ基板と、前記ＬＥＤ基板に装着されたケーシングを含むＬＥＤ灯において、前記ケーシングは空気が流入される流入口と、前記流入口から入った空気が排出される排出口を含み、前記流入口と排出口との間に配置されるように前記ケーシングの内部を区切る分離板と、前記分離板に形成された貫通口と、前記貫通口に契合するように前記分離板に付着されたファンを含めて構成される。
【００１９】
また、前記ケーシングは容器形状であって下部に配置され、下面に前記ＬＥＤ基板が付着される下部ケーシングと、前記下部ケーシングを覆うように形成された上部ケーシングを含み、前記上部ケーシングと下部ケーシングとの間に介在されるものであって、上部に前記流入口が形成され、下部に前記排出口が形成された周縁部を含み、前記分離板は前記流入口と排出口との間に配置されるように前記下部ケーシング及び上部ケーシングのうちいずれかが選択的に支持されて構成される。
【００２０】
また、前記下部ケーシングの内部底面に形成されたリブを含めて構成される。
【００２１】
また、前記周縁部は前記流入口と排出口が形成されるように、上下部に配置される多数のリングと、前記リングの間に介在されて離隔状態を維持する軸を含めて構成される。
【００２２】
また、前記リングは板状の枠状であって、前記軸の外側部分である外側周縁部は下方を向かうように形成され、内側周縁部は上方に向かうように形成される。
【００２３】
また、前記分離板は前記流入口と排出口との間に配置されたリングの内側周縁部に密着されるか、一体で構成される。
【発明の効果】
【００２４】
本発明による分離板が構成された空冷式ＬＥＤ灯は次のような効果を有している。
【００２５】
一つ、分離板によって流入される空気と熱交換された空気が分離され、空気が混合される状況を防止することができる。即ち、分離板と下部ケーシングとの間に充填された空気が分離板の上方に逆流して冷却効率を低下させる状況を防止することができる。
【００２６】
二つ、前記冷却効率の向上により、防熱ブロックを使用しなくても効率的にＬＥＤ基板とコンバーターを冷却させることができる。よって、防熱ブロックを使用しないことにより重量を軽減させることができ、製造コストを減らすことができる。
【図面の簡単な説明】
【００２７】
【図１】背景技術によるＬＥＤ灯を示した断面図である。
【図２】本発明による分離板が構成された空冷式ＬＥＤ灯を示した斜視図である。
【図３】本発明による分離板が構成された空冷式ＬＥＤ灯を示した断面図である。
【図４】本発明による分離板が構成された空冷式ＬＥＤ灯を示した分解斜視図である。
【図５】本発明による分離板が構成された空冷式ＬＥＤ灯において、リングが積層されたことを抜粋して示した断面図である。
【発明を実施するための形態】
【００２８】
以下、添付の図面と関連して前記課題を解決するための本発明の実施例と作動例を検討すると下記の通りである。
【００２９】
図２は、本発明による分離板が構成された空冷式ＬＥＤ灯を示した斜視図、図３は本発明による分離板が構成された空冷式ＬＥＤ灯を示した断面図、図４は本発明による分離板が構成された空冷式ＬＥＤ灯を示した分解斜視図、図５は本発明による分離板が構成された空冷式ＬＥＤ灯において、リングが積層されたことを抜粋して示した断面図である。共に説明する。
【００３０】
一般的にＬＥＤ灯はＬＥＤが装着されたＬＥＤ基板１６０と、前記ＬＥＤ基板１６０が装着されたケーシング１０３を含む。前記ケーシング１０３の内部には交流電源を直流電源に変換してＬＥＤ基板１６０に供給するコンバーター１９０が収用されて構成される。
【００３１】
本発明は、前記ケーシング１０３の内部に空気を強制的に吸入して熱交換させた後、新たに流入される空気と混合されずに排出されるように構成して冷却効率を向上させるように構成したことを特徴とする。
【００３２】
このために、本発明では次のように構成する。
【００３３】
図２及び図３のように、前記ケーシング１０３は空気が流入される流入口１４０が構成され、前記流入口１４０から入った空気が排出される排出口１５０が構成される。また、前記流入口１４０と排出口１５０との間に配置されるように前記ケーシング１０３の内部を区切る分離板１７０が構成され、前記分離板１７０に形成された貫通口１７３が形成され、前記貫通口１７３に契合するように前記分離板１７０に付着されたファン１８０が構成される。前記ファン１８０は一例として分離板１７０の上面に付着されて構成されてもよい。
【００３４】
図４と共に前記構成の更に詳細な実施例をみる。前記ケーシング１０３は、容器形状であって下部に配置され、下面に前記ＬＥＤ基板１６０が付着される下部ケーシング１１０が構成され、前記下部ケーシング１１０の上部を覆うように形成された上部ケーシング１２０が構成される。
また、前記上部ケーシング１２０と下部ケーシング１１０との間に介在されるものであって、上部に流入口１４０が形成され、下部に前記排出口１５０が形成された周縁部１３０が構成される。前記分離板１７０は前記流入口１４０と排出口１５０との間に配置されるように下部ケーシング１１０及び上部ケーシング１２０のうちいずれかに選択的に支持されて構成される。
【００３５】
前記ケーシング１０３は容器形状であって下部に配置され、下面に前記ＬＥＤ基板１６０が付着される下部ケーシング１１０が構成される。前記下部ケーシング１１０は容器形状であって底板１１１が構成され、底板１１１の周縁に沿って上方に突出された側壁１１５が構成される。
また、底板１１１の下面にＬＥＤ基板１６０が付着され、ＬＥＤ基板１６０の下部には透明板Ｓが配置され下部ケーシング１１０に付着されて構成される。前記透明板Ｓが下部ケーシング１１０に付着される一例としては、透明板Ｓの周縁の下面に密着される枠Ｔが構成され、前記枠Ｔと透明板Ｓを貫通して下部ケーシング１１０に締結されるねじＫにより可能であるが、下部ケーシング１１０にねじＫが締結されるタブホールが構成される。
【００３６】
このとき、ＬＥＤ基板１６０は透明板Ｓより幅が小さく形成されるので、前記ねじＫが貫通されない。また、前記側壁１１５の外側面には防熱ピン１１７が突出されＬＥＤ基板１６０から発熱された熱が底板１１１と側壁１１５を介して容易に熱伝達されて排出されるように構成される。
また、前記下部ケーシング１１０の内部底面１１３、即ち、前記底板１１１の上面には多数のリブ１１９が突出されるので、流入された空気が下部ケーシング１１０の内部に留まる時間を遅滞させて熱交換率が向上されるように構成する。
【００３７】
また、前記底面１１３には前記分離板１７０を支える多数のボルトＢが立たれた状態で支持されて構成される。即ち、前記ボルトＢにナットＮが締結されるので、分離板１７０にホールＨを貫通させてボルトＢが挿入されるようにすると前記ナットにより分離板１７０を支持することができる。前記ナットＮの幅がホールＨより大きいのでナットＮがホールＨに掛かる。
【００３８】
このようにボルトＢがホールＨを貫通した状態でナットＮを締結して分離板１７０の上面を圧迫すると分離板１７０の離脱を防止することができる。
【００３９】
前記上部ケーシング１２０は開放された容器形状であって、内側上面に前記コンバーター１９０が付着されて構成される。
【００４０】
前記周縁部１３０は前記流入口１４０と排出口１５０が形成されるように、上下部に配置される多数のリング１３１が構成され、前記リング１３１の間に介在されて離隔状態を維持する軸１３４が構成される。
【００４１】
前記軸１３４はリング１３１の下面または上面に一体に付着されたものでもよく、分離されて構成されたものでもよい。よって、図４及び図５のように、相互積層された状態になると、リング１３１の間に空気が出入りすることができる構造となる。
このように積層された周縁部１３０を下部ケーシング１１０に載せた後、周縁部１３０の上端に上部ケーシング１２０が密着されて構成される。そして、ねじ１２３がそれぞれのリング１３１を貫通して下部ケーシング１１０に締結されて構成されるので上部ケーシング１２０、周縁部１３０、下部ケーシング１１０の結合が可能である。
【００４２】
前記ねじ１２３は軸１３４を貫通するように構成することが好ましいが、これによりねじ１２３が露出される状況を防止することができる。このとき、前記ねじ１２３が締結されるように下部ケーシング１１０にタブホールが構成される。
【００４３】
また、前記リング１３１は板状の枠状であって、前記軸１３４の外側部分である外側周縁部１３３は下方に向かうように形成され、内側周縁部１３５は上方に向かうように形成される。よって、外側周縁部１３３により降雨の際に雨水が流入される状況が防止でき、内側周縁部１３５により上部ケーシング１２０の内部の上方に空気が供給されるようにして上部ケーシング１２０に装着されたコンバーター１９０と熱交換された後、下方に配置されたファン１８０に吸入されるように構成される。
【００４４】
また、前記流入口１４０と排出口１５０との間に配置されたリング１３１の内側周縁部１３５に前記分離板１７０が密着されて構成されるが、内側周縁部１３５の上面に密着されて前記内側周縁部１３５を完全にカバーするように構成される。よって、ケーシング１０３の内部空間を上下部に完全に区別して分離するように構成される。
【００４５】
また、前記下部ケーシング１１０に回動するように装着された∩型のかぎＲが構成されるので、高いところに容易にかけることができるように構成される。
【００４６】
前記構成による本発明の作動例を図３及び図５と共に検討すると次の通りである。
【００４７】
前記コンバーター１９０に電源を印加すると、ＬＥＤ基板１６０とファン１８０に電源が供給されＬＥＤ基板１６０に装着されたＬＥＤから光が照射され、ファン１８０が回転される。このとき、前記コンバーター１９０とＬＥＤ基板１６０では高熱が発生する。
【００４８】
それから、前記ファン１８０の作動により前記流入口１４０、即ち、前記分離板１７０の上部に配置されたリング１３１とリング１３１との間に空気が流入される。このように流入された空気は前記リング１３１の内側周縁部１３５により上部ケーシング１２３の内側上方へ供給されるので、上部ケーシング１２０の内側上面に固定されたコンバーター１９０から発生する熱を吸収した後、下方のファン１８０に吸入され分離板１７０の下方へ供給される。
そして、下部ケーシング１１０に流入された空気は底面１１３に突出されたリブ１１９により流れが遅滞されるので効率的に下部ケーシング１１０の熱を吸収することができる。もし、前記リブ１１９がないとすると、空気はリブ１１９があったときより迅速に排気されるため熱交換率が落ちるしかない。このように下部ケーシング１１０の熱を吸収した空気は分離板１７０により分離板１７０の上部、即ち、上部ケーシング１２０に逆流する状況を防止することができる。よって、前記流入口１４０を介して流入された空気が下部ケーシング１１０と上部ケーシング１２０との間を回りながら新たに流入された空気の温度を上昇させて冷却効率を低下させる状況を予防することができる。
このように、下部ケーシング１１０で熱交換された空気は前記排出口１５０を介して排気されるが、分離板１７０の下部に配置されたリング１３１の下方に排出される。このとき、前記リング１３１の外側周縁部１３３は下方に向いているので、下方に向いて排出される。よって、前記流入口１４０を介して新たに吸入される空気と混合されて流入される空気の温度を上昇させて冷却効率を低下させる状況を防止することができる。
【００４９】
前記本発明により、分離板１７０によって流入される空気と熱交換された空気が分離されるので、空気が混じり合う状況を防止することができる。即ち、分離板１７０と下部ケーシング１１０との間に充填された空気が分離板１７０の上方に逆流して冷却効率を低下させる状況を防止することができる。
よって、防熱ブロックを使用しなくても効率的にＬＥＤ基板１６０とコンバーター１９０を冷却させることができる。また、防熱ブロックを使用しないので重量を軽減させることができ、製造コストを減らすこともできる。
【００５０】
本明細書で説明される実施例と添付された図面は、本発明に含まれる技術的思想の一部を例示的に説明したものに過ぎない。よって、本明細書に開示された実施例は本発明の技術的思想を限定するためのものではなく説明するためのものであるため、このような実施例によって本発明の技術思想の範囲が限定されるものではない。
本発明の明細書及び図面に含まれた技術的思想の範囲内で当業者が容易に類推することができる変形例と具体的な実施例はすべて本発明の権利範囲に含まれるものと解釈されるべきである。
【符号の説明】
【００５１】
１００  分離板が構成された空冷式ＬＥＤ灯
１０３  ケーシング
１１０  下部ケーシング
１１１  底板
１１３  底面
１１５  側壁
１１７  防熱ピン
１１９  リブ
Ｓ      透明板
Ｔ      枠
１２０  上部ケーシング
１３０  周縁部
１３１  リング
１３３  外側周縁部
１３４  軸
１３５  内側周縁部
１４０  流入口
１５０  排出口
１６０  ＬＥＤ基板
１７０  分離板
１７３  貫通口
１９０  コンバーター
Ｒ      かぎ
【図１】
2017518617.tif 000003
【図２】
2017518617.tif 000004
【図３】
2017518617.tif 000005
【図４】
2017518617.tif 000006
【図５】
2017518617.tif 000007
【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
ＬＥＤが装着されたＬＥＤ基板１６０と、前記ＬＥＤ基板１６０が装着されたケーシング１０３を含むＬＥＤ灯において、
前記ケーシング１０３は空気が流入される流入口１４０、
前記流入口１４０から入った空気が排出される排出口１５０、
前記流入口１４０と排出口１５０との間に配置されるように前記ケーシング１０３の内部を区切る分離板１７０、
前記分離板１７０に形成された貫通口１７３、
前記貫通口１７３に契合するように前記分離板１７０に付着されたファン１８０、
前記ケーシング１０３は容器形状であってその下部に配置され、下面に前記ＬＥＤ基板１６０が付着される下部ケーシング１１０、及び、
前記下部ケーシング１１０の上部を覆うように形成された上部ケーシング１２０、とを備え、
前記分離板１７０は前記流入口１４０と排出口１５０との間に配置されるように前記下部ケーシング１１０及び上部ケーシング１２０のうちいずれかが選択的に支持されて構成され、
前記流入口１４０は前記分離板１７０の上部に、前記排出口１５０は前記分離板１７０の下部にそれぞれ配置されたことを特徴とする、
分離板が構成された空冷式ＬＥＤ灯。
【請求項２】
前記ＬＥＤ灯は、前記分離板１７０の外周面に沿って周縁部１３０を更に含み、前記周縁部１３０の上部に前記流入口１４０が形成され下部に前記排出口１５０が形成され、前記周縁部１３０は前記分離板１７０の外周面に接するか、又は一体に形成されたことを特徴とする請求項１に記載の分離板が構成された空冷式ＬＥＤ灯。
【請求項３】
前記下部ケーシング１１０の内部底面１１３に形成されたリブ１１９を含めて構成されたことを特徴とする請求項１に記載の分離板が構成された空冷式ＬＥＤ灯。
【請求項４】
前記周縁部１３０は前記流入口１４０と排出口１５０が形成されるように、上下部に配置される多数のリング１３１と、前記リング１３１の間に介在されて離隔状態を維持する軸１３４を含めて構成されたことを特徴とする請求項１に記載の分離板が構成された空冷式ＬＥＤ灯。
【請求項５】
前記リング１３１は板状の枠状であって、前記軸１３４の外側部分である外側周縁部１３３は下方に向かうように形成され、内側周縁部１３５は上方に向かうように形成されたことを特徴とする請求項４に記載の分離板が構成された空冷式ＬＥＤ灯。
【請求項６】
前記分離板１７０は前記流入口１４０と排出口１５０との間に配置されたリング１３１の内側周縁部１３５に密着されて構成されたことを特徴とする請求項５に記載の分離板が構成された空冷式ＬＥＤ灯。
【国際調査報告】
2017518617.tif 000008
2017518617.tif 000009
2017518617.tif 000010
2017518617.tif 000011